(57)【特許請求の範囲】
【請求項１】
少なくとも一個のスライド上に位置決めされた生体試料を画像化するように動作可能な複数の画像化モジュールと、
少なくとも一個のスライドを収容する保存モジュールと、
少なくとも一個のスライドを、前記画像化モジュールと前記保存モジュールとの間で搬送するための自動搬送モジュールと、
前記搬送モジュールと通信して前記搬送モジュールを介して少なくとも一個のスライドの搬送を管理するコントローラと、を具備し、
前記コントローラは、
スライドの画像化準備ができたと判断したときには、複数の前記画像化モジュールのうちの１つが使用可能かどうか判断し、使用不能と判断した場合に、他の前記画像化モジュールが使用可能かどうか判断して使用可能な画像化モジュールが見つかるまでこの作業を継続し、
前記コントローラが、スライドの画像化準備ができておらず、又はいずれの画像化モジュールも使用不能と判断した場合には、前記自動搬送モジュールは、少なくとも１個のスライドを自動的に前記保存モジュールへ搬送するよう作動可能であり、
前記コントローラが、スライドの画像化準備ができており、いずれかの画像化モジュールが使用可能と判断した場合には、前記自動搬送モジュールは、画像化準備ができたスライドを使用可能な前記画像化モジュールへ自動的に搬送するよう作動可能であることを特徴とする装置。
【請求項２】
前記保存モジュールは、保存モジュール内において少なくとも一個のスライドの位置を識別するインデックスシステムを具備することを特徴とする請求項１記載の装置。
【請求項３】
前記保存モジュールは、複数のスライド保存ステーションを具備することを特徴とする請求項１記載の装置。
【請求項４】
前記画像化モジュールは、複数の画像化モジュールから成り、複数の画像化モジュールのうちの少なくとも１つは電荷結合素子（ＣＣＤ）から成る装置であることを特徴とする請求項１記載の装置。
【請求項５】
前記コントローラは、機械可読命令に従い、前記画像化モジュールがスライドを受け取り可能な場合に、コントローラにスライドを画像化モジュールへ配置させ、又は前記保存モジュールからスライドを取り出し、スライドを前記画像化モジュールに搬送させることを特徴とする請求項１記載の装置。
【請求項６】
前記自動搬送モジュールは、前記少なくとも１個のスライドを、染色モジュールとカバーガラス付着モジュールの少なくとも１つとの間で少なくとも２つの異なる方向に搬送するようにさらに動作可能である請求項１に記載の装置。
【請求項７】
複数の画像化モジュールのうちの１個の画像化モジュールが、少なくとも１個のスライド上の生体試料の画像化に使用できるかどうかを自動的に判断することを、画像化に使用できる画像化モジュールが見つかるまで継続すること、及び少なくとも１個のスライドの画像化準備ができているかを自動的に判断する工程と、
いずれかの前記画像化モジュールが使用可能であると判断され且つスライドの画像化準備ができているときには、前記少なくとも１個のスライドを、自動搬送モジュールを利用して、使用可能と判断された前記画像化モジュールへ搬送する工程と、
複数の前記画像化モジュールのいずれもが使用不能又はスライドの画像化準備ができていないと判断されたときには、前記少なくとも１個のスライドを、前記自動搬送モジュールを利用して保存モジュールへ搬送する工程とを含むことを特徴とする方法。
【請求項８】
前記保存モジュールは、スライドを配置可能であることを特徴とする請求項７記載の方法。
【請求項９】
前記画像化モジュールは、複数の画像化モジュールから成ることを特徴とする請求項７記載の方法。
【請求項１０】
少なくとも１個のスライド上の生体試料の少なくとも１つを染色する処理又は少なくとも１個のスライドにカバースリップを供給する処理が含まれることを特徴とする請求項７記載の方法。
【請求項１１】
前記自動搬送モジュールによって搬送される少なくとも１個のスライド上に位置決めされた識別子を読み取り、
前記保存モジュール内における前記少なくとも１個のスライドの位置を識別することを特徴とする請求項７記載の方法。
【請求項１２】
請求項７〜１１記載の方法のいずれかを実行するための装置であって、
少なくとも１個のスライド上の生体試料を処理するための処理モジュールと、
前記少なくとも１個のスライド上の前記生体試料を画像化するための複数の画像化モジュールと、
保存モジュールと、
前記少なくとも１個のスライド上の前記生体試料を、前記処理モジュールと、前記画像化モジュールと、前記保存モジュールとの間で搬送するための搬送モジュールと、
前記搬送モジュール、及び前記処理モジュール、前記画像化モジュール並びに前記保存モジュール少なくとも１個のモジュールと通信可能であって、前記少なくとも１個のスライドの搬送を制御するためのコントロールモジュールとを具備することを特徴とするシステム。
【請求項１３】
前記コントロールモジュールは、
前記画像化モジュールが使用可能であると判断されたときには、前記少なくとも１個のスライドを、前記処理モジュールから前記画像化モジュールへ直接搬送可能であることを特徴とする請求項１２記載のシステム。
【請求項１４】
前記コントロールモジュールは、
前記画像化モジュールが使用不能又は前記スライドの画像化準備ができていないと判断されたときには、前記少なくとも１個のスライドを、前記処理モジュールから前記保存モジュールへ直接搬送可能であることを特徴とする請求項１２記載のシステム。
【請求項１５】
前記画像化モジュールにより得られた画像は、解析用遠隔ステーションからアクセス可能であることを特徴とする請求項１２記載のシステム。
【請求項１６】
前記コントロールモジュールは、
前記保存モジュール内に保存されている前記少なくとも１個のスライドの位置を識別し、前記搬送モジュールに前記少なくとも１個のスライドを当該位置から取り出すよう指示するよう構成されていることを特徴とする請求項１２記載のシステム。
【請求項１７】
複数の画像化モジュールがのうちの１個の画像化モジュールが、少なくとも１個のスライド上の生体試料の画像化に使用できるかどうかを自動的に判断することを、画像化に使用できる画像化モジュールが見つかるまで継続する工程と、
もしいずれかの前記画像化モジュールが使用可能であり、且つスライドの画像化準備ができているときには、少なくとも１個のスライドを、少なくとも１個の処理モジュールから使用可能な前記画像化モジュールへ搬送する工程と、
もしいずれの画像化モジュールも使用不能又はスライドの画像化準備ができていないときは、前記少なくとも１個のスライドを保存モジュールへ搬送する工程と、
前記少なくとも１個のスライドを、前記画像化モジュール又は前記保存モジュールから取り出す工程と、を含む方法を、
前記少なくとも１個の処理モジュール、前記画像化モジュール及び前記保存モジュールとリンクされたコントローラにより実行するためのプログラム命令を含む機械可読媒体。
【請求項１８】
前記少なくとも一個のスライドを前記保存モジュールから取り出す工程では、前記保存モジュール内の前記少なくとも一個のスライドの位置を判断することを特徴とする請求項１７記載の機械可読媒体。
【請求項１９】
前記処理方法は、更に前記少なくとも一個のスライドを除く他のスライドを前記保存モジュールから前記画像化モジュールへ搬送することを特徴とする請求項１７記載の機械可読媒体。
【請求項２０】
前記方法は、
前記少なくとも１個のスライドを、前記保存モジュールへ搬送する工程と、
前記少なくとも１個のスライドを、前記保存モジュールへ受け渡す工程と、
前記少なくとも１個のスライドに、前記保存モジュール内の位置を指定する工程と、
前記コントローラと協働するメモリに前記位置を記憶させる工程とを更に含むことを特徴とする請求項１７記載の機械可読媒体。
【発明の詳細な説明】
【技術分野】
【０００１】
本発明は、生体試料の自動処理システムと自動処理方法に関する。
【背景技術】
【０００２】
医療目的で生体試料の検査が多くの場合に必要とされている。一般的に言えば、病理学者や診断者は患者から標本を採取して顕微鏡検査に利用したり、他の装置によって当該標本を細胞レベルで評価することに利用している。病理検査や診断のためには、一般的に多くの工程を要するものであって、例えば血液や組織などの生体標本を採取し、当該標本を処理し、顕微鏡スライドを作成し、染色し、検査し、再検査または再染色し、追加の標本を採取し、当該標本を再検査し、最終的に診断結果を提示するのである。
【０００３】
多くの医療または獣医療の要員が、診断のプロセスに関わっている。例えば、外科医、瀉血専門医、標本採集を行う手術要員、病理学者、組織学者、その他標本の処理、運搬、検査などを行う要員である。日常的に大量の標本を取り扱い、処理し、検査を行っている大病院などでは、手術室から検査室、そして診断者や外科医へ標本を回す複雑な方式が、より一層複雑になってきている。
【０００４】
組織を取り扱う各種処理工程は、一般的に専門のコンピュータや、オンボードコントローラなどの装置を使用することにより自動化されてきている。ある研究機関では、データが自動化装置および／またはネットワーク化された研究機関または病院情報システムとで共有され、例えば患者データや追跡データを記憶している。自動化装置の一例として、生体標本を固定し、パラフィンを浸潤させる工程を自動化した自動組織処理システムがある。典型的な組織処理システムとしては、カリフォルニア州トーランスのサクラ・ファインテックＵＳＡ社製のＴＩＳＳＵＥ−ＴＥＫ  ＶＩＰ（登録商標）やＴＩＳＳＵＥ−ＴＥＫ
ＥＸＰＲＥＳＳ（登録商標）がある。
【０００５】
自動化装置のもう一つの例としては、自動顕微鏡スライド染色・カバースリップ付着装置であり、自動で顕微鏡スライドを染色し、カバースリップをスライドへ付着させる装置である。自動染色・カバースリップ付着システムの例として、カリフォルニア州トーランスのサクラ・ファインテックＵＳＡ社製のＴＩＳＳＵＥ−ＴＥＫ  ＰＲＩＳＭＡ（登録商標）とＴＩＳＳＵＥ−ＴＥＫ  ＦＩＬＭ（登録商標）の組み合わせシステムや、ＴＩＳＳＵＥ−ＴＥＫ  ＰＲＩＳＭＡ（登録商標）とＴＩＳＳＵＥ−ＴＥＫ  ＧＬＡＳ  ｇ２（登録商標）の組み合わせシステムがある。
【０００６】
自動化装置の助けを借りたにも関わらず、病理学者、診断者、研究所の要員等は、いまだに生体標本の処理と検査の多くの工程に関与しなくてはならない。例えば、一旦標本は染色され、その後顕微鏡スライド上の染色された当該標本は顕微鏡で物理的に検査される。この場合、一般的には研究所外にいる診断者の所まで顕微鏡スライドを運搬することになる。または、診断者が顕微鏡スライドを検査するために研究所まで出向くことになる。別の方法として、顕微鏡スライド上の染色された標本をデジタルカメラで撮影し、その標本画像を診断者の検査用にアップロードする方法がある。
【発明の開示】
【発明が解決しようとする課題】
【０００７】
最初の検査工程の後、診断者は更なる追加検査が必要かどうか判断する。追加検査では、患者から更なる標本を採取し、または既に採取してある標本の検査が行われる。例えば、診断者は現存する標本の更なる切片の作成、異なった染色、または他の手順による処理を要求することがある。追加検査を行うことにより、標本の採取、グロッシング、加工、浸潤、包埋、切断、カバースリップ付着、染色、検査等を１回以上繰り返すことになる。さらに、カバースリップを付着した別のスライドを異なった時間乾燥させたものが要求されることもある。そのために、中には検査のために数枚の標本を用意することもある。これら全ての要因のために、検査時間の遅れが発生する。追加の試験や処理の繰り返しの後に病理学者は検査手順を繰り返し、それから更に最終結果が出るまで作業を繰り返すことになる。これらの処理に自動化装置を使用したとしても、多くの運搬作業や人手の介入が必要である。
【課題を解決するための手段】
【０００８】
本発明にかかる生体試料の自動処理システムによれば、少なくとも、染色モジュールとカバースリップ付着モジュールのいずれか一方と、画像化モジュールと、保存モジュールと、少なくとも一個のスライドを、少なくとも前記染色モジュールとカバースリップ付着モジュールのいずれか一方と、前記画像化モジュールと前記保存モジュールとの間で搬送するための自動搬送モジュールと、記搬送モジュールを介して少なくとも一個のスライドの搬送を管理するコントローラとを具備することを特徴としている。
【図面の簡単な説明】
【０００９】
【図１】自動的に生体試料を処理する方法の一実施例を示すフローチャートである。
【図２】自動的に生体試料を処理する自動システムの一実施例を示す。
【図３】自動的に生体試料を処理する自動システムの一実施例を示す。
【図４】自動的に生体試料を処理する自動システムの一実施例を示す平面図である。
【図５】図４の線５−５‘に沿った前記自動システムの側面図である。
【図６】図４の線６−６‘に沿った前記自動システムの側面図である。
【図７】図４の前記自動システムの平面図であり、スライドが画像化装置の中に配置されている。
【図８】図４の線８−８‘に沿った前記自動システムの側面図である。
【図９】図４の前記自動システムの保存モジュールの斜視図である。
【発明を実施するための形態】
【００１０】
本発明の実施形態について例を挙げて説明するが、添付図面に限定されるものではない。類似の符号は同等の構成要素を示している。なお、以下の記載において「一実施例」というのは必ずしも一個の実施例に限定ということではなく、少なくとも一個の実施例という意味である。
【００１１】
以下の説明を通して説明する好適な実施例はあくまで例であり、本発明を限定するものではない。ここでいう「本発明」とは説明する実施例と同等のものをいう。更に、以下に本発明の特徴について言及するが、全ての請求項に記載された装置、方法に当該特徴が含まれなければならないことを意味するものではない。
【００１２】
まず、組織の処理、画像化および組織の保存を含む一連の自動操作を実行するシステムと方法について説明する。図１はシステムによって実行される手順の一実施例を示すフローチャートである（すなわち、処理制御モジュールに接続された処理装置で実行される機械可読プログラムの指示を示すフローチャートである）。まず、ブロック１０２に示すように、一連の手順１００には標本取扱システムがスライドに載置された生体標本を準備する工程が含まれる。生体標本は、例えば人手、運搬手段または自動搬送機によって標本取扱システムへ搬送される。ある病院の例では、試料は現地または遠隔地の医療研究所へ配送される。
【００１３】
標本取扱システムでは、スライドに載置された試料は、所望の検査に好適な状態に自動処理される。一実施例では、処理には生体標本を染色し、カバースリップをスライドに付着させる工程が含まれる（ブロック１０４）。試料の染色は任意である。試料が載置されたスライドは、搬送モジュールへ移送される（ブロック１０６）。或る実施例では、スライドを図４〜９と共に後述するロボット移送装置を使って搬送モジュールへ移送している。
【００１４】
手順１００は、更にスライドの画像化の準備ができているか判断する工程が含まれている(ブロック１０８)。この判断は、例えばスライドの乾燥時間に基づいて行ってもよい。例えば、カバースリップを付着する異なった方法で行う場合、それぞれ異なった乾燥時間とすることがある。一般的には、ガラスのカバースリップの場合は乾燥に約１日かかり、フィルムのカバースリップの場合は約１時間である。この点について、次の処理（例えば画像化）の準備ができていない（例えば未乾燥の）カバースリップが付着されたスライドは、保存モジュールへ搬送され、更なる乾燥時間を与えられる(ブロック１１２)。乾燥されたスライドは画像化の準備ができていると判断される。
【００１５】
手順１００は、更に画像化装置が画像化の準備ができているかどうかの判断を行う工程（ブロック１１０）を含んでいる。通常、スライド上の試料を画像化するのには、染色、カバースリップ付着およびスライドの乾燥にかかる時間より長くかかる。その理由は、画像化は各スライドについて行わねばならない（すなわち、１回につき１枚）が、染色やカバースリップ付着の作業は多数のスライドについて同時に行うことができる（例えば１バッチのスライドを染色）からである。例えば、スライド画像化装置は、１５ｍｍ×１５ｍｍサイズの組織を２０倍のスキャンを行う場合、２．５分から３分で行うことができる。高解像度やＺスタックが要求される場合はその時間が倍になる。
【００１６】
したがって、画像化装置は１０〜２４枚のスライドを１時間で処理する。一方、カバースリップ付着装置や染色装置は、最大５００枚のスライドを１時間で処理できる。その結果、各スライドがカバースリップ付着装置や染色装置から取り出されても画像化装置の準備ができていないことがしばしばある。もし、画像化装置が準備できていない場合、スライドはカバースリップ付着装置から保存モジュールへ搬送され、画像化装置の準備ができるまで保存される(ブロック１１２)。
【００１７】
画像化装置が使えるときは、スライドは画像化装置まで搬送され（ブロック１１４）画像化が行われる。画像化装置では、試料のデジタル画像を記録し、コンピュータのメモリに保存される。試料または一群の試料について検査の準備ができたら、試料を検査し、データを診断者および／または自動的に当該データを解析する任意の解析モジュールへ提供する（ブロック１１６）。なお、「診断者」とは画像データを見る者であって例えば病理学者、外科医、研究者、専門家などである。
【００１８】
画像データは、例えばＣＣＤ技術を用いたデジタル画像装置で作成することができる。好適には、画像データは診断者が必要に応じてアクセスできるようにしたり、診断者へ電子的に、例えば電子メールやコンピュータのスクリーン上のポップアップ、バナー通知、ページャーのメッセージ、自動電話呼び出しなどによって通知する。他の実施例では、画像データへ診断者がアクセス可能にするか、または任意の解析モジュールへ提供するようにしてもよい。解析モジュールは、例えばパターン認識技術を使って予備診断を行うためのデジタル処理を行い、更なる処理の指示や提案を行うようにしてもよい。
【００１９】
ブロック１１８に示す更なる処理は、更なる生体標本の採集、あるいは追加又は異なった検査手順や染色手順の実行など既に採集した標本に追加処理を行う工程を含む。例えば、画像化の後に試料は搬送モジュールによって保存モジュールまで搬送してもよい。試料の画像は検査され、もし更なる画像化が必要と判断されたときには、試料が搬送モジュールによって保存モジュールから取り出され、画像化のために画像化モジュールへ搬送される。試料の検査、画像化および解析は、システムまたは診断者が完了とするまで継続される。これらの繰り返した試験、検査は、反復処理、試験または検査とみなされる。本発明
の別の実施例では、診断者は解析モジュールが生成した比較データに基づくレポートにアクセス可能にしてもよい。更に別の実施例では、診断者は更に反復処理、試験または検査の指示や実行を行うことができる。
【００２０】
図２〜９に生体試料の自動処理システムを示す。これらの図面において、情報伝送路は実線および／または矢印で示し、試料の経路は矢印付二重線で示す。ここで「試料」とは生体試料であって医学的、解剖学的、獣医学的または研究の方式に則って検査される組織または細胞の試料を言う。生体試料には組織標本または試料、および／または生体由来の液体、例えば血液、リンパ液などを含む。図示の実施例は組織試料に関係するものであるが、当該システムおよび方法はそれに限定されるものではない。ここでいう生体試料は、組織等の標本、試料を言う。更に、「スライド」とは生体試料がその上に載置されたものを言う。
【００２１】
図示の例では、試料経路は搬送経路であり、研究所や病院の間を物理標本が移動する経路である。一般的な、試料の、一つのステーションまたはシステムのコンポーネントから次への進行方向は、矢印で示されている。処理ステーションは試料の流れの方向に配置されているのが理解できる。更に多くの処理ステーション、少ない処理ステーション、または他の処理ステーションを実際には使用することがある。また、更に多くの試料経路や搬送方向、少ない試料経路や搬送方向、または他の試料経路や搬送方向を実際には使用することもある。ステーションの順番や並びは任意である（例えば、垂直に重ねたり、横に並べたりしてもよい。）。
【００２２】
試料経路により示されたように試料を十分に自動搬送できれば、どんな搬送方式でもよい。例えば、図４〜７と共に詳しく後述するロボット装置によって試料を１個のステーションから次のステーションへ搬送してもよい。ロボットという用語は、広く解釈され、例えばコンベア、移送装置、電機搬送装置・機構、自動制御のリプログラマブル多機能マニュピレータであって３軸、４軸以上のプログラム動作可能な物を含む。ロボット装置は、種々の形状、構造を持ち、目的を達成する。ロボット装置は、アプリケーションプログラム、ルーチンプログラム、一群の指令によって作業を実行するようにしてもよい。プログラムや一群の指令は、一以上の動作を特定し、ロボット装置は独立して、または少なくとも準独立的に実行する。一般的に、プログラムや一群の指令は、動作 (例えば、座標、距離、方向ほか)、タイミングまたはトリガ、さらに動作に関連する情報を特定する。ある実施例では、試料を人手によって１個のステーションから次のステーションへ運ぶようにしてもよい。更に、１つの装置で複数の工程を行い、試料を一つのステーションから次のステーションへ物理的に移動しない実施例もある。
【００２３】
図２の実施例において、顕微鏡スライド上の試料は染色モジュール２１０へ搬送される。試料を染色モジュール２１０へ搬送する前に、試料を、例えばグロッシングステーション（非液体の試料の場合）、試料を一連の試薬で処理する組織処理装置、パラフィンの浸潤と包埋を行う包埋ステーション、試料を切断する薄切ステーションで処理を行う。薄切ステーションで作成された試料の切片は顕微鏡スライドの上に置かれる。脱パラフィンの必要があるスライドは、染色前にオーブンに入れるか、またはオーブンが内蔵されているか、化学的に脱パラフィン処理を行える染色装置の場合はそのまま染色装置に入れられる。
【００２４】
所望により染色または他の試験手順を染色モジュール２１０で行ってもよい。一実施例では、自動染色装置を使用する。例えば、ヘマトキシリンとエオシン（Ｈ＆Ｅ）による染色を、染色モジュール２１０で行う。他の染色方法、例えば特別染色（ＳＳ）、免疫組織化学的染色（ＩＨＣ）やイブリッド形成法（ＩＳＨ）による染色も行うことができる。
図示の実施例では、染色工程に続き、標本は試料経路２１７を経由してカバースリップを付着させるためにカバースリップ付着モジュール２２０へ搬送される。
【００２５】
染色および／またはカバースリップ付着の工程後、スライドは画像化装置２３０または保存モジュール２０２へ送られる。スライドの画像化を遅らせたい実施例では、スライドを保存モジュール２０２へ送り、画像化の開始まで保存する。異なったカバースリップ付着の方法を採用する場合、それぞれ異なる乾燥時間が必要である。カバースリップが付着されたが未だ次の処理の準備ができていない（例えば未乾燥の）スライドは、試料経路２０３を経由して保存モジュール２０２へ搬送される。スライドの準備ができた場合、スライドは試料経路２０５を経由して画像化装置２３０へ搬送される。この点、スライド間の乾燥時間の違いは自動システムにより自動的に調整・解消される。
【００２６】
実施例によっては、その遅延の基準はカバースリップ付着技術や標本の種類（組織学的、細胞学的、単層スライド、汚れの有無他）に基づき研究所が選択する。例えば、研究所はカバースリップ付着技術とスライド上の標本の種類により、スライドを画像化前に所定時間保存するかどうかの判断を行う。この判断のための情報は、スライドに付いている識別子に含まれている。例えば識別子には、無線周波数識別（ＲＦＩＤ）タグや、自動システムへ情報を提供するシステムに備え付けられているリーダにより読み取り可能なバーコードがある。自動システムは識別子を読み取り、指定された処理手順を実行する。この点、カバースリップ付着工程の後、スライドは保存モジュール２０２へ搬送され、所定の時間保存される。その後、システムは搬送モジュールに警報を発し、保存モジュール２０２からスライドを取り出し、スライドを画像化するために画像化装置２３０へ搬送させる。
【００２７】
乾燥時間を延ばすために、画像化装置２３０は画像化を更に遅らせることがある。特に、スライド上の試料を画像化するには通常、染色、カバースリップ付着およびスライド乾燥に要する時間より長い時間が必要である。例えば、従来の商業化されているスライド画像化装置は、１５ｍｍ×１５ｍｍサイズの組織を２０倍のスキャンを行う場合、２．５分から３分かかる。高解像度やＺスタックが要求される場合はその時間が倍になる。したがって、画像化装置は１０〜２４枚のスライドを１時間で処理する。一方、カバースリップ付着／染色モジュールは、最大５００枚のスライドを１時間で処理できる。その結果、各スライドがカバースリップ付着／染色モジュールから取り出されても、画像化装置の準備ができていないことがしばしばある。スライドに付いている識別子にはスライドの理想的な画像化を行うための情報（例えば１０倍スキャン、２０倍スキャン、４０倍スキャン）が記録されている。識別子を読み取ったらシステムは、画像化装置が理想的な倍率でスライドを画像化するスケジュールを作成する。もし、スライドが画像化の準備ができているのに、画像化装置が所望の準備ができない場合には、スライドは染色モジュール２１０および／またはカバースリップ付着モジュール２２０から試料経路２０３を経由して保存モジュール２０２に搬送され、画像化装置２３０が準備できるまで保存される。
【００２８】
更に、試料が画像化装置２３０によって画像化された後、試料スライドを試料経路２０５を経由して保存モジュール２０２へ搬送してもよい。スライドは、後の試験、検査のために保存モジュール２０２で保存される。
【００２９】
試料の画像化の準備ができたら、試料の少なくとも１個の画像を画像化装置２３０から得ることができる。画像化装置が実行する各スライドの画像化手順は、変更可能であり、いつでも例えば診断者（例：病理学者）によって決めることができる。この点、診断者は遠隔地からリアルタイムで画像処理を制御するようにしてもよい。例えば、病理学者は画像を検査し、追加のスライド画像が必要かどうか判断できる。一般的に、病理学者は違った倍率の画像が必要か、組織部分にもっと深いフォーカスが必要かどうかを判断する。実施例の自動システムでは、病理学者は更なる画像を得るよう指示できる。指示された場合、システムは自動的に試料を保存モジュール２０２から取り出し、要求された更なる画像を得るために試料を画像化装置２３０へ搬送する。病理学者は結果を同日中に受け取ることができる。従来の画像化システムでは高解像度画像やZスタッキング画像を処理するのに一晩はかかった。
【００３０】
画像化装置２３０は、複数の画像化装置を含んでいてもよい。画像化装置は、人手により解析または解析モジュール２９０により自動的に解析される画像を生成するシステムであればよい。図示の実施例では、画像化装置２３０は顕微鏡と、顕微鏡視野をデジタル画像として記録可能なカメラを含んでいる。例えば、光学ＣＣＤカメラをデジタル画像データ生成のために使用できる。そのデジタル画像データは、解析モジュール２９０、診断者のワークステーション２４０、専門家のワークステーション２５０などを通じて必要とする者、例えば診断者や研究所の要員が当該データにアクセスできるようにするため、種々の記録方法を採用できる。好適なデータ記憶装置の例としては、画像化装置２３０に設けられているローカル記憶装置（例えばハードディスクドライブ、リムーバブルメモリ、フラッシュメモリ、ＣＤやＤＶＤなどの光学メモリ）やデータ記憶装置２６０として図示されるネットワークメモリがある。
【００３１】
なお、画像データに加えて、種々の形態の情報が画像化装置２３０で生成できる。例えば、画像化装置２３０は、画像データと関連して患者情報の記録や、後述する情報を生成してもよい。また、他の処理システムに、他のデータと共に画像データの処理の協働作業をさせてもよい。
【００３２】
一実施例において、生成される情報の種類は、解析モジュール２９０が解析を行うに好適な種類であり、所望のレポートが作成される。解析モジュール２９０の形態は所望の形態とすることができる。例えば専用コンピュータシステム、または多目的コンピュータシステムのモジュールである。更に、独立した装置、画像化装置２３０の一部、病院情報システムの一部、研究所情報システムの一部などでもよく、設置場所も画像化装置２３０からデータを受信できる場所ならどこでもよい。図面では１個の解析モジュール２９０であるが、複数の解析モジュール２９０を用いることができる。更に、診断者のワークステーション２４０に解析モジュール２９０、または画像化装置２３０の画像データに限定されることなく、当該画像データを含む利用可能データに基づく解析を診断者がローカルで行える解析モジュールクライアントが含まれていてもよい。
【００３３】
図２に示す実施例において、解析モジュール２９０は通信インフラ２００に接続されている。解析モジュール２９０は、必要に応じて直接画像化装置２３０へアクセスしたり、データ記憶装置２６０やローカル記憶装置を経由してもよい。解析モジュールは画像データと他のデータを使用して解析を行い、提案を実行する。一実施例では、解析は、解析モジュール２９０のパターン認識システムで行うパターン認識分析を含む。一つのパターン認識の方法では、画像化装置２３０の画像データをデータベースの既知のパターンと比較する。もし、十分なレベルの一致が見つかった場合、提案、診断または他の処理指示を生成する。パターンデータベースは、解析モジュール２９０の一部や、データ記憶装置２６０や研究所情報システム２８０など外部に設置してもよい。
【００３４】
画像化装置２３０の画像化処理に続いて、解析モジュール２９０は試料経路２２７を経由して画像化した標本を保存モジュールへ送るか判断し、または試料経路２３７を経由して特定の標本を診断者または検査要員へ送り追加処理を受けるか判断する。
【００３５】
また、解析モジュール２９０は、画像化された標本に代表される組織の追加処理が必要かどうか判断するようにしてもよい。この場合、解析のため新しい組織標本が必要になる。一実施例では同じ組織標本の追加の切片をスライド上に載置し、そのスライドを保存モジュール２０２へ送る。スライドにはスライドと画像化標本を関連づけるラベルが付されている。この実施例では、スライドは染色またはカバースリップ付着が行われず、別に保管される。これらのスライドは、染色しない追加の切片であると識別され、染色またはカバースリップ付着のために呼び戻されるまで保存エリアに保存される。例えば、これらの追加スライドには原試料または順番などについて同じ識別情報、例えば当該スライドに追加スライドを識別する指標(文字、数字など)を付けてもよい。これらが不要の場合、当該スライドは、例えばユーザ指定の所定時間が経過したり、処理が終了したりしたときは廃棄してもよい。更なる染色が要求される手順の場合、追加の切片が作成され、追加のスライドが準備され、染色のみ実行される。組織塊を取り扱う自動取扱システムにおいて、更なる染色要求は、顕微鏡切片作成モジュール２０６へ送られる。
【００３６】
一実施例において、組織塊はパラフィンブロック内でフォルマリン固定された組織部分で、そこからもう一つの組織片が取り出されてスライド上に載置されるものを含む。組織塊にはバーコードタグまたはＲＦＩＤタグなどの識別タグが付いている。コントローラからの信号に応じて、組織塊は取り出され、自動的に保存モジュール(例、保存モジュール２０２)から顕微鏡切片作成モジュール２０６へ送られる。組織塊は、識別タグによって保存され、取り出される。組織塊は、取り出される追加の切片作成のため顕微鏡切片作成エリアへ送られる。
【００３７】
一般的に、スライド上に新しい標本が載置されると、標本は染色モジュール２１０へ送られ、特別染色、免疫組織化学的染色（ＩＨＣ）やイブリッド形成法（ＩＳＨ）などの処理、複合処理、他の染色処理、試験などの処理が行われる。その後、新しい標本は、例えば試料経路を通り画像化装置２３０へ送られる。最後に検査され、画像化された標本は指定された保存モジュール２０２に保存される。この例では、診断者などの検査後、元の標本は例えば保存モジュール２０２に保存する指示が出され、同じ組織部分の新しい標本は処理を進めるよう指示が出される。新しい標本は、処理され、検査され、保存のため送られる。元の標本と新しい標本は識別タグによって関連づけられる。その後、元の標本と新しい標本の一方または両方は必要に応じて任意に保存モジュール２０２から取り出すことができる。
【００３８】
診断者、専門家などのワークステーション２５０は、他の処理ステーションやシステム構成部と通信インフラ２００を介して通信するコントローラの役目をするコンピュータシステムを含む所望の構成にすることができる。ワークステーションは、また試料保存ユニット、収容器具、電話など他の作業機能を任意に持つこともできる。一実施例では、ワークステーション２４０、２５０は生体標本の処理に関する情報や、画像化装置２３０からの画像データおよび解析モジュール２９０からの解析データや、レポートを含む処理結果にアクセスできる。専門家のワークステーション２５０は、経路２５７を経てデータ記憶
装置２６０へ接続されている。他の実施例では、システムには専門家のワークステーション２５０や診断者のワークステーション２４０を含まないことがある。
【００３９】
試料は試料経路を通って処理システム内を進行するので、情報は通信インフラ２００を構成する種々の情報経路を使用する多くの装置と共有されている。なお、通信インフラ２００は、それぞれのコンピュータシステムと自動処理システムとの間の通信を可能にしている。
【００４０】
一般的に、通信インフラは有線および／または無線で結ばれたコンピュータネットワークである。例えば、情報アクセスポイントは有線でネットワークと結ばれるか、または無線ポータルを介してネットワークと接続される。図示の例は通信をネットワーク経由で行うネットワークシステムであるが、直接通信することも可能である。例えば一実施例において、染色モジュール２１０はカバースリップ付着モジュール２２０と直接通信リンクを有すると共に、カバースリップ付着モジュール２２０のノードを経由して通信ネットワークにアクセスできる。または直接ネットワークリンクを有するようにしてもよい。なお、多くのステーションとの間で情報を好適に共有するために、種々の好適な形態の通信経路を採用できる。なお、実施例の中には、全てのステーションが直接通信経路を持つわけではない。さらに、通信経路は、デジタル、アナログ、有線、無線、紙、口頭、電話など種々の形態がある。
【００４１】
一実施例では、研究所のネットワークは、研究所の装置２１０、２２０、２３０、２４０、研究所のシステム２８０、ワークステーション２４０、２５０（例えば１台以上のパソコンおよび／またはサーバーを含む）間の通信インフラ２００の一部としてもよい。研究所のネットワークは、通信インフラ２００の一部を構成する病院ネットワークとネットワークを組んでもよい。その実施例では、他の装置が研究所情報システム２８０または他の研究所装置から提供される情報へ、通信インフラ２００を経由してアクセルすることができる。そのような他の装置としては、例えば診断者や行政のワークステーション２４０、病院情報システム２７０があり、他の実施例では解析モジュール２９０も同様に他の装置となる。なお、情報経路はフレキシブルなので生体標本の処理を追跡したり、適宜ユーザに情報を分配したりするために必要な情報の流れを制御できる。多くの通信システムの構造から要求に合った構造を選択できるし、図示の例は説明した目的のためのものであり、それに限定されるのではない。
【００４２】
図示の例では、通信経路２０３、２０５、２０７、２１５、２２５、２３５、２４５、２５５、２６５、２７５、２８５、２９５が、染色モジュール２１０、カバースリップ付着モジュール２２０、画像化装置２３０、保存モジュール２０２、診断者のワークステーション２４０、専門家のワークステーション２５０、ローカルまたはリモートデータ記憶装置２６０および／または病院情報システム２７０、研究所情報システム２８０、解析モジュール２９０またはシステムの他の所望ステーション、コンポーネント間を結んでいる。
【００４３】
情報の共有は自動的に行われる。例えば、情報は互いに通信可能な二つの装置で直接共有するようにしてもよく、ユーザが他の装置へ手動で入力してもよいし、１以上の図２に示す装置から成る装置が内部通信手段を使って通信してもよい。この情報の共有には普通二方向通信が使われる。例えば、慢性の症状を持つ患者の画像を患者情報記憶装置のデータベースへ送り、先に得た同じ患者の情報を症状の進行を観察するためにデータベースから取り出すこともできる。他の実施例では、試料経路内の各ステーションは、通信インフラ２００を介して互いに通信可能であると共に、当該ステーションは、後述するように、他の情報と同様に試料の試料経路に沿った進行について互いに通信できる。
【００４４】
他の実施例では、生体標本、スライド、トレイ、容器、ワークピースおよびシステム内の場所が、機械が理解可能なコード、例えばＲＦＩＤタグ、形状識別子、色識別子、数字、単語、光学的コード、バーコードなどで識別される。識別子は、例えばプロセッサ（コンピュータ装置）、病院情報システム２７０、研究所情報システム２８０やその組み合わせによって、データ記憶装置２６０内に維持されるデータなどデータベースへ提供されるデータを生成する際に記録することができる。追跡可能なデータとは、例えば患者の情報や履歴、採取された生体標本の情報、生体標本の到着時刻や出発時刻、標本で行われた試験、標本で実施された処理プロセス、標本に添加された試薬、診断内容、関連画像などである。
【００４５】
図３に生体試料を自動的に処理するシステムの実施例を示す。システム３００は搬送モジュール３０２を含む。搬送モジュール３０２は、スライドなど組織保持具を、ステーション間、すなわち１個以上の染色モジュール３０４、カバースリップ付着モジュール３０６、画像化装置３０８、３１０、３１２、保存モジュール３１４および顕微鏡切片作成モジュール３０７の間で自動的にまたは少なくとも一部自動的に搬送する。スライドなど組織保持具を手動で搬送する場合に比べて、自動的にスライドなど組織保持具を、染色モジュール３０４、カバースリップ付着モジュール３０６、画像化装置３０８、３１０、３１２、保存モジュール３１４および顕微鏡切片作成モジュール３０７の間で搬送するのはかなり有利である。一つには、繰り返して退屈な手作業から要員を解放することができる。さらに、要員をやりがいのある作業や自動化の恩恵を受けにくい作業に回すことができる。また、搬送モジュールは、時々他の仕事に気が散ったり、忘れたり、忠実かつタイムリーに作業を行えない要員と比べ、忠実かつタイムリーに当該作業を行うのに向いている。特に、要員による手動搬送は、スライドを間違えたり、取り扱い中にスライドを壊したり、画像化装置でスライドを間違えて置いたり、間違えて読んだりするおそれがある。加えて、スライドを保存する場合、要員によりスライドを保存モジュールへ搬送すると、スライドの置き間違い、保存モジュール内での間違った記録管理、および／または保存モジュールからの取り出しが煩雑になるおそれがある。スライドの自動搬送は、有利な点としては、生産性を向上させることができると共に、標本を手動で搬送するに必要な装置の待ち時間を減少させてスループットを向上させることができる。同様な効果は、組織塊を顕微鏡切片作成モジュール３０７と保存モジュール３１４との間で自動的に搬送することでも得られる。
【００４６】
一実施例において、搬送モジュール３０２はステーション間でスライドを搬送可能なロボット装置である。一実施例では、搬送モジュール３０２はＸＹＺ軸ロボットで１以上のスライドをステーション間で搬送する。一般的に、搬送モジュール３０２は、軌道・エレベータシステムである。軌道システムは、コンベアベルトまたはプレートシステムでスライドを水平にＸ軸方向へ搬送する。この点、１以上のスライドがコンベアに載置され、所望のステーション間、例えばカバースリップ付着モジュール３０６、画像化装置３０８および保存モジュール３１４の間で搬送される。
【００４７】
一実施例では、コンベアベルトシステムが、２本の離間したコンベアベルトを有し、一本のベルトはスライドを一方向へ搬送し、他方のベルトはスライドを反対方向へ搬送する。搬送方向を矢印３１６で示す。また、図４〜９を参照して説明するように、一本のコンベアベルトシステムでスライドを１以上の方向へ搬送することができる。搬送モジュール３０２にはエレベータ装置が含まれている。エレベータ装置は、スライドをコンベアベルトより上または下へ位置させる場合に、スライドを垂直、Ｙ軸方向へ搬送する。エレベータ装置には更にスライドをエレベータの内外のＺ方向へ搬送するコンポーネントが含まれている。
【００４８】
染色モジュール３０４とカバースリップ付着モジュール３０６は、スライド染色・カバースリッパシステムとして一体化してもよい。また、染色モジュール３０４とカバースリップ付着モジュール３０６は、別装置として別々の場所に設置してもよい。一体化したシステムの場合、染色モジュール３０４とカバースリップ付着モジュール３０６は、カリフォルニア州トーランスのサクラ・ファインテックＵＳＡ社製が市場に出しているＴＩＳＳＵＥ−ＴＥＫ  ＰＲＩＳＭＡ（登録商標）とＴＩＳＳＵＥ−ＴＥＫ  ＧＬＡＳ  ｇ２（登録商標）の組み合わせシステム又はＴＩＳＳＵＥ−ＴＥＫ  ＰＲＩＳＭＡ（登録商標）とＴＩＳＳＵＥ−ＴＥＫ  ＦＩＬＭ（登録商標）の組み合わせシステムのような染色／カバースリッパシステムとすることができる。一実施例では、染色モジュール３０４はヘマトキシリンとエオシン（Ｈ＆Ｅ）による染色や特別染色（ＳＳ）が可能になっている。Ｈ＆Ｅ/ＳＳ染色およびカバースリッパ付着工程において、生体標本はＨ＆ＥまたはＳＳ染色と任意のカバースリップ付着を受ける。他の染色又は試験手順も実行できる。
【００４９】
稼働中に、バスケット内の個々のスライドまたは一群のスライドは、染色モジュール３０４内に運ばれ、所望の染色手順により染色される。一群のスライドの場合、染色手順は全てのスライドについて同じ手順、またはオペレータの手動、バーコード、RFIDなどを読み取る自動識別手段あるいは他の手順識別装置により、染色手順メニューから選択された手順で行われる。染色手順が終了したら、バスケット内の個々のスライドまたは一群のスライドは、個々にカバースリップを付着するべく自動的にカバースリップ付着モジュール３０６へ搬送される。各スライドに付されている識別子は、スライドにカバースリップを付着し、一群としてバスケット内に入れられ又は個々に搬送モジュール３０２へ送られる際に読み取られる。
【００５０】
一群のスライドが一度に染色される実施例では、スライドは染色モジュール３０４内で個別に分離され（群から離され）、搬送モジュール３０２に載置される。例えば、一群のスライドがバスケット内で染色される場合、染色モジュール３０４のピックアンドプレイスロボット装置が分離されたスライドを個々に搬送モジュール３０２へ搬送する。搬送モジュール３０２からスライドはカバースリップ付着モジュール３０６又はカバースリップの付着をすることなく画像化装置３０８、３１０、３１２のうちの一個、又は保存モジュール３１４へ搬送される。
【００５１】
画像化装置３０８、３１０、３１２の画像化方法（クイックスキャン、２０倍、４０倍、Zスタックなど）は、研究所の規定、病理学者などからの特定の指示に基づき事前に指定されている。バスケットに一群として収容されているスライドの場合、一実施例では、各スライドに同じスキャン方法が指定される。個々のスライドまたはバスケット内のスライドには、画像化装置の利用性または特定のスキャン方法(例、クイックスキャン、２０倍、４０倍、Zスタック）により特定の画像化装置を決めるなど研究所の定めた規定に基づき画像化装置３０８、３１０、３１２のうち１個が指定される。
【００５２】
一実施例では、生体標本を含むスライドが個々に搬送モジュール３０２によって画像化装置３０８、３１０、３１２のうち１個および/または保存モジュール３１４へ搬送される。スライドの画像化準備ができたら（例、乾燥したら）、システムは、例えば画像化装置３０８が使用可能かをチェックする。もし例えば好適に機能を発揮でき、現在他のスライド上の標本を画像化していなければ、画像化装置３０８が使用可能と判断される。もし画像化装置３０８が使用不能の場合、画像化装置３１０の使用可能性を判断する。さらに、画像化装置３１０が使用不能の場合、画像化装置３１２の使用」可能性を判断する。使用可能な画像化装置が見つかるまでこの作業を継続する。
【００５３】
また、スライドと特定の画像化装置の画像化スケジュールは予め決めておいてもよい。一般的に、スライドを十分に乾燥させる時間に関する情報はスライドに指定され、画像化装置３０８、３１０、３１２は画像化スケジュールに基づいて使用される。システムは、乾燥時間経過後にどの画像化装置が使用可能か判断する。利用可能な画像化装置が決まったら、スライドは搬送モジュール３０２によって使用用可能な画像化装置へ搬送される。図３では３個の画像化装置を示しているが、システム３００には３未満または４以上の画像化装置を含んでもよい。
【００５４】
もし、画像化装置３０８、３１０、３１２のどれもが使用不能または画像化の遅延が必要な状態(例、スライド処理の指示を待っている場合）では、搬送モジュール３０２はスライドを保存モジュール３１４へ搬送する。スライドは画像化装置３０８、３１０、３１２の１個が使用可能になるまで、および/または処理指示の受領まで保存モジュール３１４内に留まる。画像化装置が使用可能と判断されたら、スライドは保存モジュール３１４から、例えばロボット装置を用いて搬送モジュール３０２へ移され、画像化のため使用可能な画像化装置へ搬送される。画像化が終了したら、スライドは搬送モジュール３０２によって画像化装置３０８、３１０または３１２から保存モジュール３１４へ搬送される。画像は、病理学者などの診断者へ送られ、直ちに検査される。コンピュータ（例、パソコン）を使用することにより、病理学者は観察のためのスライド上の標本検査を行い、また必要に応じて更なる画像化を行うため追加スライドを準備させる。また、追加のスライド検査が不要と判断された場合は、保存モジュール３１４から排出される。
【００５５】
一実施例では、保存モジュール３１４には１個以上の保存モジュールが含まれる。この点、１個以上の保存モジュールは、更なる画像化が必要と思われるスライドの短時間保存エリアとして使われる。更に、１個以上の保存モジュールは、近い将来更なる画像化が不要と思われるスライドの長時間保存エリアとしても使われる。長時間保存モジュールは、研究所内または遠隔地に設けてもよい。
【００５６】
一実施例において、保存モジュール３１４は、ユーザの規定した基準に則りスライド(及び塊保存システムの組織塊)を分類する。例えば、一人の患者用の容器に関連する複数のスライドを同じエリアに保存する。容器または塊は、製造年月日、医師、出所またはそれらの組み合わせを基準として配置される。一般的に、上述したように、スライドにはリーダ（例、RFIDリーダ、バーコードリーダ）で読み取り可能な識別子が付される。識別子（例、RFID、バーコード）は、製造年月日、医師および/または出所を示す情報（例、文字、番号および/または符号）を含む。リーダによって情報が読み取られると、情報は通信インフラを介してコントローラ４００または他の装置へ送られる。
【００５７】
図３の自動化システム３００では、スライドは、染色モジュール３０４、カバースリップ付着モジュール３０６、画像化装置３０８、３１０、３１２および保存モジュール３１４の間を完全自動で搬送される。この点、システム３００は、他の研究所の処理と連携して継ぎ目の無い、継続したワークフローを提供し、また人的エラーや障害を減らすためにまとめて一晩にわたって処理しなくてもよくなる。なお、システム３００内で染色から保存まで人が接触することがないので、Lean and Six Sigmaのような厳しい品質管理基準においても安全であると考える。
【００５８】
図４は、図３に示すシステムの構成例を示す。本実施例において、染色モジュール３０４は、ＴＩＳＳＵＥ−ＴＥＫ  ＰＲＩＳＭＡ（登録商標）染色装置であり、カバースリップ付着モジュール３０６は、ＴＩＳＳＵＥ−ＴＥＫ  ＦＩＬＭ（登録商標）カバースリップ付着装置であり、両方ともサクラ・ファインテックＵＳＡ社製である。ＴＩＳＳＵＥ−ＴＥＫ  ＰＲＩＳＭＡ（登録商標）染色モジュールとＴＩＳＳＵＥ−ＴＥＫ  ＦＩＬＭ（登録商標）カバースリップ付着モジュールは、互いに接続されている。カバースリップ付着作業の前に１個以上のスライドのラックを保持するためにカバースリップ付着モジュールで使用されるローディングコンテナは、カバースリップ付着モジュール３０６と染色モジュール３０４との間で移動する。当該モジュール間の移動について以下に説明する。
【００５９】
カバースリップ付着モジュール３０６のローディングコンテナを自動的にカバースリップ付着モジュール３０６と染色モジュール３０４との間で移動させるために、ソフトウエアの指示と、カバースリップ付着モジュール３０６と染色モジュール３０４との間のデータリンクが使用される。当該指示とデータリンクは、単にカバースリップ付着モジュール３０６と染色モジュール３０４との間だけのものである。また、コントロールシステムは、染色モジュール３０４と、カバースリップ付着モジュール３０６と、画像化装置３０８、３１０、３１２と、保存モジュール３１４と、スライドを画像化装置と各モジュールとの間で搬送する搬送モジュール３０２と個々に接続されている。図４〜９に画像化装置と各モジュールへ接続されたコントローラ４００を示す。この場合、搬送に関する指示とデータリンクは、前記モジュール、画像化装置、コントロールシステムに関連するものである。コントローラ４００は、染色モジュール３０４とカバースリップ付着モジュール３０６の間の搬送作業を制御する。コントローラ４００は、前記モジュールや画像化装置に対するスライドの制御と同様に、他のモジュールや画像化装置を制御(例、直接操作)も行う。
【００６０】
ローディングコンテナの染色モジュール３０４からカバースリップ付着モジュール３０６への移動に関して、ローディングコンテナは、プレート上に載置されている。そのプレートは、２個のステッピングモータによりプレートとローディングコンテナをX方向とY方向へ動かすためのワイヤに連結されている。プレートは、ローディングコンテナをX方向染色装置内へ移動させる。
【００６１】
稼働中、染色モジュール３０４の搬送アームは、スライドのラックを受け取り、ラックをX、Y方向へ動かして染色ステーションへ移動させる。搬送アームは、スライドのラックを適宜な染色ステーションへ移動させ、それからラックを下動させて（Y方向）染色のために染色ステーションへ入れる。染色工程の後、搬送アームは、スライドのラックを染色ステーションからX、Z方向へ動かして次の染色ステーション、又は全染色工程が終了していれば、スライドのラックを染色装置からＦＩＬＭ（登録商標）カバースリップ付着モジュール（カバースリップ付着モジュール３０６）へ移動させるため、搬送ステーションへ移動させる。
【００６２】
染色モジュール３０４とカバースリップ付着モジュール３０６の間の搬送作業において、カバースリップ付着モジュール３０６のローディングコンテナは、各装置の隣接する出入口を通ってカバースリップ付着モジュール３０６から染色モジュール３０４へ移動する指示を受信する。ローディングコンテナは、ローディングコンテナが平面（XZ平面）内で載置されているプレートにより、カバースリップ付着装置から染色モジュールの出入り口を通り染色装置内に移動される。染色モジュール内では、搬送アームがスライドのラックを下動させてローディングコンテナ入れる。ローディングコンテナにはスライドを湿らせるための例えばキシレン溶液が貯留されている。ローディングコンテナは、X方向プレートに乗って染色装置から再びカバースリップ付着装置へ隣接する出入り口を通って入れられる。カバースリッパの付着動作は、フィルム状のカバースリップをバスケット内の各スライドに載せる工程をカバースリップ付着装置で実施する。
【００６３】
搬送モジュールは、スライドをステーション間で搬送可能なロボット装置でもよい。図４の実施例では、搬送モジュール３０２がロボット装置であり、コンベア４０２を含む。そのコンベア４０２は、染色モジュール３０４/カバースリップ付着モジュール３０６、画像化装置３０８、３１０、３１２、保存モジュール３１４をループ状に結んでスライドまたは一群のスライドを水平に搬送するコンベアシステムである。本実施例では、コンベア４０２がスライドを矢印４０３に示すように、染色モジュール３０４またはカバースリップ付着モジュール３０６から画像化装置３０８、３１０、３１２と保存モジュール３１４へ搬送する。また、反対方向の矢印４０５に示すように、保存モジュール３１４から画像化装置３０８、３１０、３１２へ搬送する。
【００６４】
一実施例において、コンベア４０２は水平面内に配されたコンベアベルトまたは一組のコンベアパレットであり、スライド又は一群のスライドを搬送する。一組のコンベアパレットであるコンベアシステムは、民間空港で使用されている荷物搬送コンベアと同様のシステムである。荷物搬送コンベアは、搬送経路部に囲まれた甲板部から成る。搬送経路部の配置形状によりスライドを搬送する経路が規定され、通常は楕円形の経路なっている。搬送経路部に沿って等間隔にパレット支持部材が配置されている。パレット支持部材の各端部に支持車が取り付けられている。支持部材は、支持車が回転することによって搬送経路部に沿って移動する。支持部材は、支持部材間に張設されたストラップにより上部で互いに連結されている。支持部材の底部は、互いに固いリンク部材により連結されている。したがって、支持部材、支持車およびストラップの機能により、無限軌道上を動く列車に似た構造になる。
【００６５】
パレット支持部材にパレットが取り付けられている。パレットは、互いに重なり合う構造になっており、パレット支持部材がフレキシブルな表面を構成できるようになっている。パレットの重なり合う構造は、パレットが経路のコーナーを移動するときに互いにスライドするよう設計されている。パレットの先端はファスナにより支持部材へ連結されている。各バレットは、若干曲がっておりカーブをうまく通過できるようになっている。
【００６６】
図４に示す実施例において、コンベア４０２はカバースリップ付着モジュール３０６からのスライドを受け取り、画像化装置３０８、３１０、３１２のうち１個の装置へ搬送する。ＴＩＳＳＵＥ−ＴＥＫ  ＦＩＬＭ（登録商標）カバースリップ付着装置の場合、カバースリップ付着モジュール３０６は、スライド上に個々にフィルム片を載せる。図４に示すシステムでは、それからスライドはカバースリップ付着モジュール３０６の排出位置へ移動され、カバースリップ付着モジュール３０６からコンベア４０２上へ載置される。カバースリップ付着モジュールの排出位置は、カバースリップ付着動作の下流側に設ければ
よい。
【００６７】
図４において、スライド４２４は、コンベア４０２上へ排出される。その際、スライドの長さ方向が、コンベア４０２の幅方向と交差するように排出される。RFIDリーダまたはバーコードリーダなどのリーダ４２３が、コンベア４０２の排出位置または排出位置の下流側に設けられ、スライド４２４の識別子を読み取る。コンベア４０２に載置されると、コンベア４０２はスライド４２４を画像化装置３０８、３１０、３１２へ搬送する。
【００６８】
上述したように、本実施例では、染色モジュール３０４から複数のスライドがカバースリップ付着モジュール３０６へ搬送される。カバースリップ付着モジュール３０６では、スライドは一枚一枚にされ（ラック内で他のスライドから剥離され）、カバースリップを付着される。一実施例では、カバースリップ付着モジュール３０６内の全ての染色済スライドにカバースリップが付着される。別の実施例では、カバースリップ付着工程を迂回することがある。この迂回は、カバースリップ付着モジュール３０６内の剥離ポイントで起きる。この実施例では、スライドが一枚一枚に剥離され、コンベア４０２上へ直接排出されるか、またはカバースリップを付着した後に排出される。
【００６９】
一実施例では、スライド保持装置がコンベア４０２に隣接して、または接続して設けられる。スライド保持装置４２０は、例えば楕円形のチェーンまたはベルト（ループ状）であり、外側へ突出する突部４２２が設けられている。複数の突部４２２は、スライドの幅と同等の間隔で配置されている。
【００７０】
図４に示すように、染色モジュール３０４、カバースリップ付着モジュール３０６および画像化装置３０８、３１０、３１２は、コンベア４０２の一方の側に設けられている。スライド保持装置４２０は、染色モジュール３０４、カバースリップ付着モジュール３０６および画像化装置３０８、３１０、３１２とは反対側に設けられている。スライド保持装置４２０の突部４２２は、コンベア４０２に向かって外側へ突出している。スライド保持装置４２０は、コンベア４０２と隣接し、突部４２２はコンベア４０２へ届くよう伸びている。
【００７１】
一実施例では、スライド保持装置４２０は合成ゴムまたはプラスチックで形成され、突部４２２も同じ弾力性のある材料で形成されている。突部４２２は、厚さ０．５ｍｍ以下、例えば０．２５mm、で長さ０．５〜１ｍｍである。スライド保持装置４２０は、コンベア４０２が規定する平面の上方に突出し、また突部４２２は、コンベア４０２上またはコンベア４０２のやや上方（例、０．２５mm以下の距離上方）に届くようになっている。この構成により、スライドは、コンベア４０２上で隣接する突部４２２間に保持される。
【００７２】
スライド保持装置４２０は、プーリによって回転され、コンベア４０２と同じ速度で移動する。図５は、図４の線５−５‘に沿った側面図である。図５に示すように、スライド保持装置４２０は、ループの一端がプーリ４３０に連結され、他端もプーリ４３０に連結されている。プーリ４３０は、軸４３５を中心に回転する。軸４３５は、コンベア４０２の幅方向へ延びて、反対側で軸４３５はプーリ４３７に連結されている。プーリ４３７は、コンベア４０２を駆動するプーリ４４０へベルトを介して連結されている。
【００７３】
図４〜７に示すように、例えばスライド４２４は、カバースリップ付着モジュール３０６または染色モジュール３０４から個々に排出され、コンベア４０２へ載せられる。例えば、コンベア４０２は、カバースリップ付着モジュール３０６の出口４０７（および染色モジュール３０４の任意の出口４０９）よりやや下側に位置しているので、スライドは重力によってコンベア４０２へ載せられる。理想的には、スライドは、スライド保持装置４２０の２個の突部４２２の間に配置される。しかし、スライドがカバースリップ付着モジュール３０６から出るときに突部４２２の間に位置しないときは、突部からスライドの端に加えられる力によってスライドは突部間に再配置される。
【００７４】
コンベア４０２は、スライドを画像化装置３０８、３１０、３１２へ搬送する。画像化装置３０８、３１０、３１２は、例えばデジタル画像化装置であり、スライドの識別子を読み取るためにコントローラ４００と接続されたリーダ（例、RFIDリーダ、バーコードリーダ）を含む。リーダは、コントローラ４００にスライドが画像化装置内に在ることを示し、またリーダは識別子をデジタル画像と関連付けるために使用される。一実施例において、コンベア４０２は、各画像化装置の所で停止し、コントローラ４００は画像化装置が使用可能であるか調べる（例えば、画像化装置が使用可能かどうかを判断できる信号を受信する）。もし、画像化装置が使用可能であれば、コントロールシステム（例、コントローラ４００）は、スライドが現在画像化可能（例、乾燥している）と判断したらスライドを画像化装置内に配置する。
【００７５】
一実施例において、スライドは、スライドを押して画像化装置へ入れる。この実施例では、コントローラ４００に制御され、各画像化装置３０８、３１０、３１２に対応するプランジャアセンブリが設けられている。図４〜７において、プランジャアセンブリ４０８、４１０、４１２は画像化装置３０８、３１０、３１２にそれぞれ対応している。プランジャアセンブリ４０８、４１０、４１２は、コンベア４０２の横に配置され、画像化装置３０８、３１０、３１２とは反対側に配置されている。
【００７６】
各プランジャアセンブリ４０８、４１０、４１２は、対応するプランジャを伸縮させるアクチュエータ(例、電動モータまたはエアピストン)を有する。プランジャは、駆動されると画像化装置に向かってプランジャアセンブリから外へ向かって動く。プランジャは、スライドの厚さと同等またはもっと厚いバーまたはロッドである。各プランジャアセンブリは、コンベア４０２に隣接して設けられ、プランジャがプランジャアセンブリから伸びたときにはプランジャがコンベア４０２の表面に接触するかコンベア４０２の少し上方（例、０．１〜０．２５ｍｍ）に位置するようになっている。プランジャがコンベア４０２に十分接近することにより、プランジャが伸びた際にコンベア上のスライドの端部に接触してコンベアからスライドを押し出す。スライド保持装置４２０の高さが、プランジャがスライドの端部と接触するのを防止する高さになっていない場合、プランジャはスライド保持装置４２０を押動させるに十分な重さと密度をもっている。
【００７７】
例えば、スチールのバーまたはロッドから成るプランジャは、十分な重さがあり、合成ゴムでできたスライド保持装置４２０を下方へ押動させることができる。他の実施例では、プランジャはプランジャアセンブリから、水平より若干の角度（例、５度未満）を持って伸びるようになっており、プランジャはスライド保持装置４２０をコンベア４０２の表面とほぼ平行にできる。  
【００７８】
もし、スライドが画像化装置（画像化装置３０８、３１０、３１２）の正面に位置し、画像化装置が使用可能であれば、プランジャはスライドを画像化装置内へ押し入れる。プランジャは、コンベア４０２上のスライドの端部に接触可能に配置されている。図７にコンベア４０２から画像化装置３０８へ押し入れられたスライドを示す。図７では、プランジャ４５８はプランジャアセンブリ４０８から駆動され、コンベア４０２を横切るよう伸びている。プランジャ４５８を駆動することにより、プランジャ４５８はスライド４２４と接触し、スライド４２４を画像化装置３０８へ押し入れることができる。
【００７９】
画像化装置３０８の破断図では、スライド４２４は画像化装置３０８のステージまたは画像化プラットフォーム上に在り、画像化準備ができている。その破断図で、ステージまたは画像化プラットフォームの傍に在るプランジャアセンブリ４８８は、ステージまたは画像化装置の反対側に配置されている。プランジャアセンブリ４８８は、スライド４２４の画像化が終了したら、画像化装置３０８内のスライド４２４をコンベア４０２上へ戻す。
【００８０】
上述のように、一実施例において、コントローラ４００は、染色モジュール３０４、カバースリップ付着モジュール３０６、画像化装置３０８、３１０、３１２、各画像化装置に対応するプランジャアセンブリ４０８、４１０、４１２、保存モジュール３１４、コンベア４０２に接続されている。更に、任意に染色モジュール３０４でスライドを染色したり、カバースリップ付着モジュール３０６でスライドにカバースリップを付着させるために、コントローラ４００は、カバースリップ付着モジュール３０６や染色モジュール３０４からスライドをコンベア４０２上に排出させたり、スライドを画像化装置３０８、３１０、３１２へ運ぶコンベア４０２の動作を制御する指示（例、コンピュータプログラム）を含む。
【００８１】
カバースリップ付着モジュール３０６からスライドをコンベア４０２上に排出する制御を行うため、コントローラ４００はスライドの排出準備ができたかどうかのデータをカバースリップ付着モジュール３０６から受信する。一実施例では、このデータは、スライドがカバースリップ付着モジュール３０６の所定位置に配置された際に信号としてコントローラ４００に送られる。スライドは、カバースリップ付着モジュール３０６内でカバースリップを付着されていてもよいし、未付着でもよい。コントローラ４００は、コンベア４０２の位置が自由にスライドを受け取り可能な位置かどうかチェックする。
【００８２】
図４〜７に示す実施例では、システムは、センサ４９５を含む。センサ４９５は、カバースリップ付着モジュール３０６の出口４０７（矢印４１６）からスライドの幅と同等の距離上流側に設けられている。例えば、センサ４９５は、光学センサで光ビームをコンベア４０２の表面を横切るように放射する。ビームが切られると、センサはスライドの存在を示す信号をコントローラ４００へ送る。好適には、スライドが染色モジュール３０４から排出される実施例では、センサ４９５と同様のセンサを用いて同様の技術を採用することがよい。
【００８３】
一実施例では、コントロールシステムはコンベア４０２を短時間（例、３〜５秒）間欠的に停止させ、スライドを画像化装置の前に位置させる。コントローラ４００は、画像化装置がスライドの画像化の準備ができているかどうかを示す信号を受信する。信号は、一方的に送り続ける方法（例、画像化装置のセンサが、画像化装置が準備できているときには常に信号を出し続ける方法）、またはコントローラが信号を請求する方法（例、コントローラが画像化装置のセンサへ問い合わせ信号を送り、センサが返信する方法）で受信できる。もし、スライドがコンベア４０２上に在り、画像化装置が使用可能であれば、コントロールシステムは、対応するプランジャアセンブリを駆動させ、スライドを画像化装置内に配置させる。同様に、コントローラ４００は、いつスライドの画像化が終了し、スライドがコンベア４０２上に排出されたかをチェックする。一実施例では、センサ、例え光電センサが各プランジャアセンブリ４０８、４１０、４１２に設けられ（隣接して配置されていたり、連結されていてもよい）、スライドがコンベア４０２上に在るか、又はコンベア４０２が自由に画像化装置３０８、３１０、３１２からスライドを受け取り可能かどうかを調べる。
【００８４】
図６にプランジャアセンブリ４０８に接続されたセンサ４９６を示す。一実施例では、対応するセンサコンポーネントがセンサ４９６の反対側に在る画像化装置３０８に接続されている。また、コントローラ４００のメモリは、コンベア４０２上のスライドの位置を、センサ４９５から送られるデータと、カバースリップ付着モジュール３０６からのデータに基づき追跡し、これらのデータを元にコンベア４０２が、画像化装置３０８、３１０、３１２からスライドを受け取り可能かどうかを調べる。コンベア４０２の短時間停止により、例えばセンサ４９５からのデータに基づき、スライドがコンベア４０２上でカバースリップ付着モジュール３０６の出口より上流側にあるかどうか調べるようにすればよい。
【００８５】
プランジャアセンブリはスライドをコンベア４０２と画像化装置３０８、３１０、３１２との間でやり取りするものであるが、他のロボット装置でスライドを処理ステーション間でやり取りすることもできる。一般的に、スライド４２４をつかみ、スライドをコンベア４０２と画像化装置３０８、３１０、３１２との間でやり取りできるロボットアームを使用できる。例えば、バスケットから一群のスライドを搬送する実施例では、スライドは個々にバスケットから取り出され画像化される。この点、ガントリーまたは座標軸型のロボット、選択された弾性部品から成るロボットアーム（SCARA）、多関節ロボットアームやこれらの組み合わせ(例、SCARA型ロボットとガントリー型ロボットの組み合わせ)を使ってバスケット内で各スライドの取り出し、積層を行える。
【００８６】
図３〜７の実施例において、染色モジュール３０４とカバースリップ付着モジュール３０６は、接続され、スライドは染色モジュール３０４によって、公知のシステムを介してカバースリップ付着モジュール３０６へ搬送される。他の実施例ではこの搬送は、全体コントロールシステムの一部としてのコントローラ４００のよって制御される。他の実施例では、例えば上述のプランジャアセンブリやその他の移送装置を用いて、スライドを染色モジュール３０４からコンベア４０２へ移し、その後コンベア４０２を介してカバースリップ付着モジュール３０６へ搬送される。
【００８７】
図４〜７には保存モジュール３１４内に延びるコンベア４０２を示す。一実施例では、コンベア４０２は、ループ状に形成され、一端は保存モジュール３１４へ入り、外へ延びている。
【００８８】
図８には、図４の線８−８‘に沿った保存モジュール３１４の断面を示す。一実施例では、保存モジュール３１４は少なくとも一個の引出、空間、コンポーネント、キャビネット、箱、棚のような物を備える。例えば、搬送モジュール３０２のロボット装置は、保存モジュール３１４へスライドを収容させると共に、スライドを保存モジュール３１４から例えばコンベア４０２へ取り出すことができる。保存モジュール３１４は、更に搬送モジュール３０２へ続くドアを備える。
【００８９】
保存モジュール３１４がキャビネットである実施例では、保存モジュールは複数のスライドステーション６０２を含む。各スライドステーション６０２の大きさは、個々または一群のスライドを受け取り収容できる大きさである。一群のスライドを扱う場合、スライド群はスライドステーション６０２のトレイまたはバスケットに収容される。例えば、スライドを保持するトレイまたはバスケットは１個のスライドステーション６０２内に在る。この点、スライドステーション６０２の大きさはスライドを保持したトレイまたはバスケットを収容できる大きさである。
【００９０】
一実施例では、図８に示すようにステーションを格子状に形成してもよい。スライドステーション６０２に収容されたスライドは、例えば格子パターンに対応した座標インデックスシステムを用いてスライドステーション６０２へ配置され、または取り出される。一般的に、各列は識別子により指定され、各行はその識別子とは別の識別子により指定される。例えば、保存モジュール３１４の左から第１番目の列は識別子に「１」と指定され、保存モジュール３１４の上から第１番目の行は識別子に「A」と指定される。この場合、スライドステーション６０２AはA1となる。スライドステーション６０２A内のスライドの場所はA1となる。スライドを取り出そうとする場合、システムは場所A1にあるスライドを取り出すよう指示する。他の実施例では、スライドステーション６０２は、保存モジュール３１４内で垂直方向へ積上げたコンポーネントでもよい。
【００９１】
搬送モジュール３０２は、保存モジュール３１４内に配置された１個以上のエレベータ装置を含んでもよい。スライドをスライドステーション６０２内へ配置したり、取り出したり、スライドステーション６０２とコンベア４０２との間で移送するためである。
【００９２】
エレベータ装置６１４は、コンベア４０２との間でスライドを垂直に移動させる（図４のY方向）へ移動させる）ために使う。エレベータ装置６１４は、枠部材を水平に矢印６０６のZ方向（図４参照）へ移動させるための軌道部材６０４を含む。エレベータ装置６１４は、コンベアベルト４０２とスライドステーション６０２の間に配置してよい。エレベータ装置６１４は、枠部材６１８と、枠部材６１８に沿って移動するリフト部材６２０を含む。モータプーリシステムは、枠部材６１８とリフト部材６２０へ連携され、リフト部材６２０を枠部材６１８に沿って移動させる。
【００９３】
エレベータ装置６１４は、更にリフト部材６２０内に配置されたスライドプラットフォーム６２２を含む。スライドプラットフォーム６２２は、移動可能にリフト部材６２０へ取り付けられ、スライドを水平にX方向へエレベータ装置６１４から突き出し、またはエレベータ装置６１４内へ受け取ることができる。スライドプラットフォーム６２２の大きさは、リフト部材６２０内でスライド６２４を受け取り、保持できる大きさである。一実施例では、スライドプラットフォーム６２２は、四角の箱であり、開口面を有すると共に、１枚のスライドを収容できる大きさ（例、１インチ×１インチ×３インチ）を有する。スライドプラットフォーム６２２は、少なくともスライドの幅以上の幅を有し、スライドを載置可能になっている。スライドは、スライドプラットフォーム６２２の横から中へ挿入または取り出すことができる。また、スライドプラットフォーム６２２は、平坦な部材（まさしくプラットフォーム）であり、その上でスライドが支持される。
【００９４】
エレベータ装置６１４は、スライドをコンベア４０２とスライドステーション６０２との間で移送するために用いる。一般的に、コンベア４０２は、スライド６２４を例えばカバースリップ付着モジュール３０６または画像化装置３０８、３１０、３１２からスライドステーション６０２へ移送する。コンベア４０２は、スライド６２４を、スライドプラットフォーム６２２と対応するまで水平にX方向へ移動させる。この点、リフト部材６２０は、スライドプラットフォーム６２２がスライド６２４と対応するまで垂直にY方向へ移動する。スライドプラットフォーム６２２がスライド６２４と対応したら、スライドプラットフォーム６２２は、スライド６２４の近くに達するまでX方向、コンベア４０２へ向けて移動する。一実施例ほかにおいて、スライドプラットフォーム６２２は、挟み部材、爪部材、顎状部材、フックなどの把持部材を含む。スライドプラットフォーム６２２は、スライド６２４を収容して逆方向（例、コンベア４０２から離反する方向）へ移動する。リフト部材６２０は、スライド６２４がスライドステーション６０２の開口部４２８と対応するまで、スライド６２４を収容したスライドプラットフォーム６２２を上動させる。その後、スライドプラットフォーム６２２は、スライドをスライドステーションの開口部へ挿入するためX方向、スライドステーション６０２へ向けて移動する。スライド６２４が開口部内に入ったら、スライドプラットフォーム６２２はスライド６２４を解放し、退動する（すなわち、スライドステーション６０２から離れる）、その結果スライドがスライドステーション６０２内に収容される。
【００９５】
収容が終了すると、エレベータ装置６１４は、スライド６２４をスライドステーション６０２から取り出し、再びコンベア４０２へ載置し、例えば画像化装置３０８、３１０、３１２へ搬送する。
【００９６】
上記では、エレベータ装置６１４は、スライド６２４をコンベア４０２とスライドステーション６０２との間で移送したが、スライドを処理ステーション間で移送する適宜なロボット装置を使用してもよい。一般的に、スライド６２４を把持し、スライド６２４をスライドステーション６０２と搬送モジュール３０２との間で移送可能なロボットアームを使用することができる。例えば、一群のスライドをバスケット内へ搬送する場合、スライドは画像化のため一枚ずつ取り出されなければならない。この点、ガントリーまたは座標軸型のロボット、選択された弾性部品から成るロボットアーム（SCARA）、多関節ロボットアームやこれらの組み合わせ(例、SCARA型ロボットとガントリー型ロボットの組み合わせ)を使ってバスケット内で個々のスライドの取り出し、積層を行える。
【００９７】
上述のように、スライドは格子状に配置されたスライドステーション６０２のいずれかに挿入され、保持される。この点、スライドの挿入、取り出し用のロボット装置は、垂直Y方向と、水平X方向の両方向へ移動可能でなければならない。スライドステーション６０２Aでスライドを収容または取り出しを行うために、エレベータ装置６１４のリフト部材６２０は、矢印６１６の垂直方向へ保存モジュール３１４の最上行(例、行A）まで移動する。枠部材６１８は、第１列（例、列１）へ達するまで矢印６０６の水平方向へ動く。
【００９８】
スライドステーション６０２Aへスライド４２４を収容するために、スライドプラットフォーム６２２は、Z方向、保存モジュール３１４へ向かって移動し、スライド４２４をスライドステーション６０２Aへ挿入する。スライド４２４がスライドステーション６０２A内に配置されたら、スライドプラットフォーム６２２は、スライド６２４をスライドステーション６０２A内に残して保存モジュール３１４から離れる。スライド６２４をスライドステーション６０２Aから取り出すには、スライドプラットフォーム６２２をスライドステーション６０２Aへ挿入し、スライド６２４へ接近させる。スライドプラットフォーム６２２をスライドステーション６０２Aから離れる動作によりスライド６２４がスライドステーション６０２Aから引き出され、エレベータ装置６１４へ入る。エレベータ装置６１４のリフト部材６２０は、上動または下動され、スライド６２４をコンベア４０２へ移送する。コンベア４０２は、その後スライド６２４を画像化装置３０８、３１０、３１２へ搬送する。
【００９９】
保存モジュール３１４内におけるスライドの識別、配置および取り出しは、搬送モジュール３０２と通信可能なコントローラ４００によって制御される。各実施例において、搬送モジュール３０２の動作、作業は、コントローラと搬送モジュール３０２との間で交換される信号に基づいて行われる。例えば、一実施例では、そのようなコントローラはスライドが画像化可能であるという信号をカバースリップ付着モジュール３０６から受信する。一方、コントローラは、スライドをカバースリップ付着モジュール３０６から取り出し、保存モジュール３１４へ送るために信号を搬送モジュール３０２へ送信する。リーダ(例、RFIDリーダ、バーコードリーダ）は、スライドに付されている識別子を読み取るために保存モジュールの入口に配置されている。この情報は、コントローラ４００へ送信される。コントローラは、保存モジュール３１４の空いているスライドステーションを識別し、信号を搬送モジュール３０２へ送りスライドを空いているスライドステーションへ挿入させる。スライドの位置情報は、システムに記憶されている。一実施例では、スライドの位置は、患者の状況、医師または病院、保存期間ほかの基準で選択される。スライドを取り出そうとするとき、例えば病理学者がシステムに更なるスライドの画像化を指示したときにはコントローラ４００が所望のスライドの位置情報を判断し、スライドを保存モジュール３１４内の所定のスライドステーションから取り出すよう信号を搬送モジュール３０２へ送る。
【０１００】
図９には保存モジュールと図８のエレベータ装置の斜視図を示す。図９において、リフト部材６２０は軌道７０２に沿って垂直方向へスライドする。この点、リフト部材６２０は、軌道７０２と対応し、係合する突起部が外面に沿って形成されている。同様に、軌道部材６０４は、枠部材６１８が沿ってスライドする軌道７０４を含む。
【０１０１】
図８，９にはスライド保存用の保存モジュールを示す。他の実施例では、保存モジュールは、組織塊（例、識別タグを含む組織塊）と同じようにスライドを保存するようにできている。さらに他の実施例では、システムは、スライドを保存する保存モジュール２０２と、組織塊を保存する別の保存モジュールを含む。組織塊を保存する保存モジュールは、識別子リーダを含み、コントローラ４００とリンクするなど保存モジュール３１４と同じ構成にすることができる。それぞれの構成で、コントローラ４００は、スライドと組織塊の識別情報を記憶することにより、スライドを組織塊とリンクさせることができる。図４に、コンベア４０２と隣接する顕微鏡切片作成モジュール３０７を示す。顕微鏡切片作成モジュールは、マイクロトームナイフを含む組織塊処理装置と、コントローラ４００にリンクする識別子リーダを含む。一実施例において、組織塊は顕微鏡切片作成モジュール３０７からコンベア４０２へ移送され（あるいはコンベア４０２から顕微鏡切片作成モジュール３０７へ移送され）、または保存モジュール３１４からコンベア４０２へ載置/取り出しされ、あるいはその逆が上述のスライドの載置/取り出し方法と同様に行われる。
【０１０２】
スライドを処理ステーション間で搬送する自動化システムを開示する。当業者には本発明が、本発明を説明する上記実施例の他の形態でも実施することができ、上述の実施例に限定されないことや、後述する特許請求の範囲にのみ限定されることが理解できよう。なお、上述した特定の実施例と均等な範囲で実施することもできる。一実施例において、「反応染色」の方式が実施される。この方式では、システムは、解析モジュールのパターン認識報告に基づき、生体標本の特別な染色および/または検査の実施を提案する。反応染色装置では、染色システム、画像化装置、解析モジュールが一体化され、１個の自動装置となっている。また、それらの装置は別々の位置に存在してもよい。例えば、グロッシング、加工、包埋、顕微鏡切片作成、染色、カバースリップ付着の処理を、前記装置を用いて反応染色装置の内外で実施するようにしてもよい。
【０１０３】
ある実施例では、上述の搬送モジュールは、組織塊の処理と連動する。一般的に、パラフィンブロック内でグロスおよび/または固定された組織標本は、搬送モジュールによって顕微鏡切片作成モジュール、画像化装置、保存モジュールの間を搬送される。例えば、識別子が付され組織が包埋された組織ブロックは、マイクロトームナイフによって切断されて組織片とし、その後保存モジュールへ搬送される。もし、組織片の検査において、さらに組織片が必要と判断されれば、コントローラは信号を搬送モジュールへ送り、ブロックを保存モジュールから取り出し、更なる切片を作成するために当該ブロックを顕微鏡切片作成モジュールへ送る。
【０１０４】
本発明の一以上の実施例において、指示を含むプログラム等を含む機械可読媒体が使用される。その媒体は、ロボットや一体化装置などの機械が実行するための指示を提供し、ここに開示する１以上の動作や方法を実行させる。好適な装置は、限定はされないが、ロボット、一体化装置、コンピュータシステム、研究所装置など各種装置である。一般的に、媒体は、記録可能媒体であり、例えばフロッピディスク、光学的記録媒体、光ディスク、CD-ROM、磁気ディスク、MOディスク、ROM、PROM、EPROM、EEPROM、RAM、SRAM、DRAM、フラッシュメモリなどのメモリや、ロボットを制御するプログラマブルロジカルユニットの機械可読媒体や、それらの組み合わせが使用される。
【０１０５】
上述の実施例において、例えば「一実施例」、「実施例」、「１以上の実施例」と記したのは、発明の特徴点は、発明を実施する各実施例に含まれるということを意味することが理解できる。同様に、説明を効率的にしたり、種々の発明点を理解できるよう、種々の特徴点を１個の実施例や図面、記述でまとめている場合もある。しかしながら、方法の開示は各請求項の特徴点を示すものとは解釈できない。後述する請求項の全ての特徴点を１個の実施例では開示できない。そこで、詳細な説明の後に来る特許請求の範囲の請求項は、それぞれ別個の実施例によって説明される。
【０１０６】
上述の実施例では、本発明を特定の実施例を挙げて説明した。しかしながら、各種改良、変更は請求項に示す発明の精神と範囲を逸脱しない限り可能である。明細書と図面は解説であり、制限するものではない。
【符号の説明】
【０１０７】
２００  通信インフラ
２０２  保存モジュール
２０３  試料経路、通信経路
２０５  試料経路
２０６  顕微鏡切片作成モジュール
２０７  通信経路
２１０  染色モジュール
２１５  通信経路
２１７  試料経路
２２０  カバースリップ付着モジュール
２２７  試料経路
２３０  画像化装置
２３５  通信経路
２３７  試料経路
２４０  診断者ワークステーション
２４５  通信経路
２５０  専門家ワークステーション
２５７  試料経路
２６０  データ記憶装置
２６５  通信経路
２７０  病院情報システム
２８０  研究所情報システム
２９０  解析モジュール
２９５  通信経路
３００  自動化システム
３０２  搬送モジュール
３０４  染色モジュール
３０６  カバースリップ付着モジュール
３０７  顕微鏡切片作成モジュール
３０８  画像化装置
３１０  画像化装置
３１２  画像化装置
３１４  保存モジュール
３１６  矢印
４００  コントローラ
４０２  コンベア
４０３  矢印
４０５  矢印
４０７  出口
４０８  プランジャアセンブリ
４０９  出口
４１６  出口
４２０  スライド保持装置
４２２  突部
４２３  リーダ
４２４  スライド
４２８  開口部
４３０  プーリ
４３５  軸
４３７  プーリ
４４０  プーリ
４５８  プランジャ
４８８  プランジャアセンブリ
４９５  センサ
４９６  センサ
６０２  スライドステーション
６０４  軌道部材
６０６  矢印
６１４  エレベータ装置
６１６  矢印
６１８  枠部材
６２０  リフト部材
６２２  スライドプラットフォーム
６２４  スライド
７０２  軌道
７０４  軌道
【図１】
0006334611.tif 000002
【図２】
0006334611.tif 000003
【図３】
0006334611.tif 000004
【図４】
0006334611.tif 000005
【図５】
0006334611.tif 000006
【図６】
0006334611.tif 000007
【図７】
0006334611.tif 000008
【図８】
0006334611.tif 000009
【図９】
0006334611.tif 000010